(57)【要約】【課題】主に自動車の音響や空調機器等の操作に用いられるスイッチ装置に関し、簡易な構成で、製作が行い易く安価なものを提供することを目的とする。【解決手段】ケース１１の取付ボス１３の基板４との当接部１３Ａを、中空孔１３Ｂよりも下方へ突出させることによって、複数の取付ボス１３が形成されたケース１１を製作する際、当接部１３Ａを上下に移動するピン１９ではなく、位置や寸法のばらつきのない上型１７の段差部１７Ａで形成できるため、簡易な構成で当接部１３Ａの均等な形成が可能となり、製作が行い易く安価なスイッチ装置を得ることができる。【選択図】図１
2007280659.tif 000002
【特許請求の範囲】
【請求項１】
下方へ突出する略円筒状の取付ボスが形成された略箱型のケースと、このケース上面の開口孔に操作可能に装着された操作体と、この操作体の操作によって電気的接離を行うスイッチ接点と、上面が上記ケースの取付ボス下面に当接して、上記ケースの下面開口部を覆う基板と、この基板の貫通孔を挿通し、上記ケースの取付ボスの中空孔に締付されるネジからなり、上記ケースの取付ボスの上記基板との当接部を、中空孔よりも下方へ突出させたスイッチ装置。
【発明の詳細な説明】
【技術分野】
【０００１】
本発明は、主に自動車の音響や空調機器等の操作に用いられるスイッチ装置に関するものである。
【背景技術】
【０００２】
近年、車室内のフロントパネル部に、様々な操作体を備えたスイッチ装置を配置し、これらによってオーディオやエアコン等の各種電子機器の操作を行うものが増えている。
【０００３】
このような従来のスイッチ装置について、図４〜図６を用いて説明する。
【０００４】
図４は従来のスイッチ装置の断面図、図５は同裏面視のケースの要部斜視図であり、同図において、１は略箱型で下面開口の絶縁樹脂製のケース、２は絶縁樹脂製の操作体で、ケース１上面の複数の開口孔１Ａ内に操作体２が上下動可能に装着されると共に、ケース１には下方へ突出する略円筒状の複数の取付ボス３が形成されている。
【０００５】
また、４は上下面に複数の配線パターン（図示せず）が形成された基板で、上面にはプッシュスイッチ５等が実装されてスイッチ接点が形成されると共に、このプッシュスイッチ５の操作部５Ａに、操作体２下面から下方へ突出した押圧部２Ａが当接している。
【０００６】
さらに、複数の取付ボス３下面の平坦な当接部３Ａが基板４上面に当接すると共に、この基板４の貫通孔４Ａを挿通した複数のネジ６が、取付ボス３中央に形成された中空孔３Ｂに締付され、基板４がケース１の下面開口部を覆って、スイッチ装置が構成されている。
【０００７】
そして、このようなスイッチ装置が、車室内のフロントパネル部に装着され、プッシュスイッチ５がコネクタやリード線（図示せず）等によって、オーディオやエアコン等の各種電子機器や、自動車の電子回路（図示せず）に電気的に接続される。
【０００８】
以上の構成において、操作体２を下方へ押圧操作すると、押圧部２Ａが操作部５Ａを押圧して、プッシュスイッチ５の電気的接離が行われ、例えば、オーディオの音量やエアコンの温度等の切換えが行われる。
【０００９】
なお、以上のように、ケース１の取付ボス３下面の平坦な当接部３Ａが、基板４上面に当接して、ケース１と基板４との取付け寸法や、ケース１に上下動可能に装着された操作体２とプッシュスイッチ５の関係寸法が決められているため、この複数の当接部３Ａの間に位置や寸法のばらつきが生じると、ケース１と基板４との間にがたつきが生じたり、操作体２によるプッシュスイッチ５の押圧操作が不確実なものとなったりしてしまう。
【００１０】
また、このようなケース１の取付ボス３は、図６（ａ）の断面図に示すように、一般に上型７と下型８、及び上型７内に上下動可能に装着されたピン９から形成された、成形金型によって製作される。
【００１１】
つまり、図６（ａ）に示すように、先ずこれらの所定の間隙内にケース１の絶縁樹脂１０が充填され、この絶縁樹脂１０が凝固した後、図６（ｂ）に示すように、下型８が下方へ移動して、ケース１や取付ボス３が形成された上型７から離れる。
【００１２】
そして、この後、図６（ｃ）に示すように、上型７内をピン９が下方へ移動し、ケース１を上型７から離して押し出し、最後に、図６（ｄ）に示すように、ピン９が上方へ移動し上型７内に戻って、取付ボス３が形成されたケース１が完成する。
【００１３】
このように、基板４上面に当接する当接部３Ａは、上型７内に上下動可能に装着されると共に、絶縁樹脂１０の充填時に、その圧力によって位置にばらつきの生じ易いピン９の、段差部９Ａによって寸法が決まり形成される。
【００１４】
さらに、一つのケース１には複数の取付ボス３が設けられているため、これらの複数の当接部３Ａを位置や寸法のばらつきがなく、均等に形成するには、何度か成形を繰返し、複数のピン９の調整等を行うことが必要となるものであった。
【００１５】
なお、この出願の発明に関連する先行技術文献情報としては、例えば、特許文献１が知られている。
【特許文献１】特開２００５−３１７２３６号公報
【発明の開示】
【発明が解決しようとする課題】
【００１６】
しかしながら、上記従来のスイッチ装置においては、複数の取付ボス３が形成されたケース１を製作する際、複数の当接部３Ａを位置や寸法のばらつきがなく、均等に形成するために、成形金型内の複数のピン９の調整等を行う必要があり、手間がかかり、製作に時間を要するという課題があった。
【００１７】
本発明は、このような従来の課題を解決するものであり、簡易な構成で、製作が行い易く安価なスイッチ装置を提供することを目的とする。
【課題を解決するための手段】
【００１８】
上記目的を達成するために本発明は、ケースの取付ボスの基板との当接部を、中空孔よりも下方へ突出させてスイッチ装置を構成したものであり、複数の取付ボスが形成されたケースを製作する際、当接部を上下に移動するピンではなく、位置や寸法のばらつきが少ない上型で形成できるため、簡易な構成で当接部の均等な形成が可能となり、製作が行い易く安価なスイッチ装置を得ることができるという作用を有する。
【発明の効果】
【００１９】
以上のように本発明によれば、簡易な構成で、製作が行い易く安価なスイッチ装置を実現することができるという有利な効果が得られる。
【発明を実施するための最良の形態】
【００２０】
以下、本発明の実施の形態について、図１〜図３を用いて説明する。
【００２１】
なお、背景技術の項で説明した構成と同一構成の部分には同一符号を付して、詳細な説明を簡略化する。
【００２２】
（実施の形態）
図１は本発明の一実施の形態によるスイッチ装置の断面図、図２（ａ）は同裏面視のケースの要部斜視図であり、同図において、１１は略箱型で下面開口のＡＢＳやポリオキシメチレン等の絶縁樹脂製のケース、２は絶縁樹脂製の操作体で、ケース１１上面の複数の開口孔１１Ａ内に操作体２が上下動可能に装着されると共に、ケース１１には下方へ突出する略円筒状の複数の取付ボス１３が形成されている。
【００２３】
そして、このケース１１の複数の取付ボス１３下面外周には、下方へ突出する略リング状の当接部１３Ａが設けられると共に、取付ボス１３中央には、周囲が当接部１３Ａよりも窪んだ中空孔１３Ｂが形成されている。
【００２４】
また、４は紙フェノールやガラス入りエポキシ等の基板で、この上下面には銅箔等によって複数の導電パターン（図示せず）が形成されると共に、上面にはプッシュスイッチ５等が実装されてスイッチ接点が形成されると共に、このプッシュスイッチ５の操作部５Ａに、操作体２下面から下方へ突出した押圧部２Ａが当接している。
【００２５】
さらに、下方へ突出した当接部１３Ａが基板４上面に当接すると共に、この基板４の貫通孔４Ａを挿通した複数のネジ６が、取付ボス１３中央の中空孔１３Ｂに締付され、基板４がケース１１の下面開口部を覆って、スイッチ装置が構成されている。
【００２６】
次に、このようなスイッチ装置のケース１１の製作方法について、図３の断面図を用いて説明する。
【００２７】
このような複数の取付ボス１３が形成されたケース１１を製作するには、図３（ａ）に示すように、上型１７と下型１８、及び上型１７内に上下動可能に装着されたピン１９、から形成された成形金型が用いられ、先ず、これらの所定の間隙内にケース１１の絶縁樹脂１０が充填され、この絶縁樹脂１０が凝固した後、図３（ｂ）に示すように、下型１８が下方へ移動して、ケース１１や取付ボス１３が形成された上型１７から離れる。
【００２８】
なお、この時、取付ボス１３中央の中空孔１３Ｂはピン１９の円柱部１９Ａによって、中空孔１３Ｂ周囲はピン１９の段差部１９Ｂによって各々形成されるが、取付ボス１３外周の当接部１３Ａは上型１７の段差部１７Ａによって形成される。
【００２９】
そして、この後、図３（ｃ）に示すように、上型１７内をピン１９が下方へ移動し、ケース１１を上型１７から離して押し出し、最後に、図３（ｄ）に示すように、ピン１９が上方へ移動し上型１７内に戻って、複数の取付ボス１３が形成されたケース１１が完成する。
【００３０】
つまり、複数の取付ボス１３外周の、基板４上面に当接する当接部１３Ａは、上型１７内に上下動可能に装着されたピン１９ではなく、位置や寸法のばらつきがなく、金型の加工も容易な上型１７の段差部１７Ａによって形成される構成となっている。
【００３１】
したがって、絶縁樹脂１０充填時の圧力等によって、当接部１３Ａの位置や寸法にばらつきが生じることはなく、また、複数の段差部１７Ａの金型加工も比較的容易に行えるため、複数の取付ボス１３の当接部１３Ａを、均等に形成できるようになっている。
【００３２】
そして、このように製作されたスイッチ装置が、車室内のフロントパネル部に装着され、プッシュスイッチ５がコネクタやリード線（図示せず）等によって、オーディオやエアコン等の各種電子機器や、自動車の電子回路（図示せず）に電気的に接続される。
【００３３】
以上の構成において、操作体２を下方へ押圧操作すると、押圧部２Ａが操作部５Ａを押圧して、プッシュスイッチ５の電気的接離が行われ、例えば、オーディオの音量やエアコンの温度等の切換えが行われるように構成されている。
【００３４】
なお、この時、上述したように、基板４上面に当接する複数の当接部１３Ａが、均等な位置と寸法に形成され、ケース１１と基板４との取付け寸法や、操作体２とプッシュスイッチ５の関係寸法もばらつきのないようになっているため、操作体２によるプッシュスイッチ５の押圧操作も、がたつきがなく確実に行われるようになっている。
【００３５】
このように本実施の形態によれば、ケース１１の取付ボス１３の基板４との当接部１３Ａを、中空孔１３Ｂよりも下方へ突出させることによって、複数の取付ボス１３が形成されたケース１１を製作する際、当接部１３Ａを上下に移動するピン１９ではなく、位置や寸法のばらつきのない上型１７の段差部１７Ａで形成できるため、簡易な構成で当接部１３Ａの均等な形成が可能となり、製作が行い易く安価なスイッチ装置を得ることができるものである。
【００３６】
なお、以上の説明では、複数の取付ボス１３の下面外周に、略リング状の当接部１３Ａを下方へ突出させた構成について説明したが、図２（ｂ）に示すように、取付ボス１３の外方に、下方へ突出する略十字状の当接部１３Ｃを設けた構成としても、本発明の実施は可能である。
【００３７】
また、以上の説明では、上下面に複数の導電パターンが形成された基板４上面に当接部１３Ａを当接させ、この基板４がケース１１の下面開口部を覆う構成として説明したが、基板４はＡＢＳやポリオキシメチレン等の絶縁樹脂を成形したものを用いてもよい。
【００３８】
さらに、操作体２の上下動によって電気的接離を行うスイッチ接点として、基板４上面に実装したプッシュスイッチ５を例として説明したが、可撓性シート下面の可動接点と基板上面の固定接点を対向させたものや、基板上面の固定接点上に略ドーム状で導電金属薄板製の可動接点を載置したもの、或いは操作体を揺動、回転操作するもの等、様々なスイッチ接点においても本発明の実施は可能である。
【産業上の利用可能性】
【００３９】
本発明によるスイッチ装置は、簡易な構成で、製作が行い易く安価なものを実現することができ、主に自動車の音響や空調機器等の操作用として有用である。
【図面の簡単な説明】
【００４０】
【図１】本発明の一実施の形態によるスイッチ装置の断面図
【図２】同裏面視のケースの要部斜視図
【図３】同成形金型の断面図
【図４】従来のスイッチ装置の断面図
【図５】同裏面視のケースの要部斜視図
【図６】同成形金型の断面図
【符号の説明】
【００４１】
２  操作体
２Ａ  押圧部
４  基板
４Ａ  貫通孔
５  プッシュスイッチ
５Ａ  操作部
６  ネジ
１０  絶縁樹脂
１１  ケース
１１Ａ  開口孔
１３  取付ボス
１３Ａ、１３Ｃ  当接部
１３Ｂ  中空孔
１７  上型
１７Ａ  段差部
１８  下型
１９  ピン
１９Ａ  円柱部
１９Ｂ  段差部
【図１】
2007280659.tif 000003
【図２】
2007280659.tif 000004
【図３】
2007280659.tif 000005
【図４】
2007280659.tif 000006
【図５】
2007280659.tif 000007
【図６】
2007280659.tif 000008